【事件の表示】
　特願２００７−　１３５８５「カラーＬＥＤ駆動装置」拒絶査定不服審判事件〔平成１９年　８月　９日出願公開、特開２００７−２０１４７３〕について、次のとおり審決する。
【結　論】
　本件審判の請求は、成り立たない。
【理　由】
第１　手続の経緯　
　本願は、平成１９年１月２４日（パリ条約による優先権主張、２００６年１月２４日、韓国）の出願であって、平成２２年１０月１９日及び平成２３年９月２７日付けで手続補正がなされ、平成２３年９月２７日付け手続補正が平成２４年７月３０日付けで却下されるとともに、同日付けで拒絶査定がなされ、これに対して、同年１２月７日に拒絶査定不服審判が請求されると同時に手続補正がなされたものである。
　なお、請求人は、当審における平成２５年２月１８日付け審尋に対して平成２５年５月２０日に回答書を提出している。
　
第２　平成２４年１２月７日付け手続補正についての補正却下の決定
　
〔補正却下の決定の結論〕
　平成２４年１２月７日付け手続補正を却下する。
　
〔理由〕
１　本件補正の内容
　平成２４年１２月７日付け手続補正（以下「本件補正」という。）は、特許請求の範囲及び発明の詳細な説明についてするもので、本件補正前の（平成２２年１０月１９日付け補正後の）請求項１及び段落【００１４】に記載されていたカラーＬＥＤ駆動装置の特徴に「前記温度補償部は、駆動回路部と前記ＬＥＤ部との間に連結されて温度を感知し、前記複数の駆動電流の変動を補償しており、前記複数の駆動電流は、次第に前記駆動回路部及び前記温度補償部を経て前記ＬＥＤ部に流れ、前記複数のカラーＬＥＤのそれぞれに流れる駆動電流の位相が同一であること」を加える補正を含むものである。
　
２　新規事項の追加について
　本願の願書に最初に添付した明細書、特許請求の範囲又は図面（以下「当初明細書」という。）には、「前記温度補償部は、駆動回路部と前記ＬＥＤ部との間に連結されて温度を感知し、前記複数の駆動電流の変動を補償しており、前記複数の駆動電流は、次第に前記駆動回路部及び前記温度補償部を経て前記ＬＥＤ部に流れ、前記複数のカラーＬＥＤのそれぞれに流れる駆動電流の位相が同一であること」は記載されていない。
　また、審判請求人が審判請求書において本件補正の根拠である旨主張する本願図面の図３、図４の記載から「前記温度補償部は、駆動回路部と前記ＬＥＤ部との間に連結されて温度を感知し、前記複数の駆動電流の変動を補償しており、前記複数の駆動電流は、次第に前記駆動回路部及び前記温度補償部を経て前記ＬＥＤ部に流れ、前記複数のカラーＬＥＤのそれぞれに流れる駆動電流の位相が同一である」との事項を読み取ることはできない。
　さらに、「駆動電流の位相が同一」ということは、駆動電流に位相が存在することが前提になっていると解されるが、本願に係るカラーＬＥＤ駆動装置においては「駆動定電圧部」が用いられるのであるから、駆動電流に位相がないのは明らかというべきであり、「複数のカラーＬＥＤのそれぞれに流れる駆動電流の位相が同一である」という事項を加えることが、新たな技術的事項を導入するものであることは明らかである。
　したがって、本件補正は、当初明細書のすべての記載を総合することにより導かれる技術的事項との関係において、新たな技術的事項を導入しないものではないから、本件補正は、特許法第１７条の２第３項の規定に違反する。
　
３　小括
　本件補正は、特許法第１７条の２第３項の規定に違反するものであるから、同法第１５９条第１項において読み替えて準用する同法第５３条第１項の規定により却下されるべきものである。
　
第３　本願発明について
１　本願発明
　本件補正は上記のとおり却下されたので、本願の請求項１ないし７に係る発明は、平成２２年１０月１９日付けで補正された特許請求の範囲の請求項１ないし７に記載された事項によって特定されるものであるところ、請求項１に係る発明は、平成２２年１０月１９日付け手続補正後の明細書、特許請求の範囲及び図面の記載からみて、その特許請求の範囲の請求項１に記載のとおりの次のものであると認める。
　
「予め設定された駆動定電圧を供給する駆動定電圧部と、
　前記駆動定電圧部によって供給された駆動定電圧を、カラーＬＥＤを駆動するために赤色ＬＥＤ用駆動電流、緑色ＬＥＤ用駆動電流及び青色ＬＥＤ用駆動電流を含む複数の駆動電流に変換する駆動回路部と、
　前記駆動回路部で変換された複数の駆動電流のうち、前記赤色ＬＥＤ用駆動電流及び緑色ＬＥＤ用駆動電流の温度変化による変動を補償する温度補償部と、
　前記温度補償部からの駆動電流及び前記駆動回路部からの駆動電流によって点灯する複数のカラーＬＥＤを含むＬＥＤ部と
　を備え、
　前記ＬＥＤ部を構成する緑色ＬＥＤ及び赤色ＬＥＤは、前記青色ＬＥＤより周囲温度の変化による輝度変化が大きく、
　前記温度補償部は、
　前記赤色ＬＥＤ用駆動電流を温度変化によって補償する第１ＮＴＣサーミスタと、前記第１ＮＴＣサーミスタに並列に連結されて前記赤色ＬＥＤ用駆動電流の線形性を補償する第１線形補償用抵抗とを含む第１温度補償回路と、
　前記緑色ＬＥＤ用駆動電流を温度変化によって補償する第２ＮＴＣサーミスタと、前記第２ＮＴＣサーミスタに並列に連結されて前記緑色ＬＥＤ用駆動電流の線形性を補償する第２線形補償用抵抗とを含む第２温度補償回路と
を備えていることを特徴とするカラーＬＥＤ駆動装置。」（以下「本願発明」という。）
　
２　刊行物の記載事項
　原査定の拒絶の理由に引用された「本願の優先日前に頒布された刊行物である国際公開第２００６／００６５３７号（以下「引用例」という。）」には、図とともに以下の事項が記載されている。
（１）「技術分野
［０００１］
　本発明は、
ＬＥＤ素子群からなるバックライトユニットを駆動制御する駆動装置
　本出願は、日本国において２００４年７月１２日に出願された日本特許出願番号２００４−２０５１４６及び２００４年１１月１９日に出願された日本特許出願番号２００４−３３６３７３を基礎として優先権を主張するものであり、これらの出願は参照することにより、本出願に援用される。」
　
（２）「背景技術
［０００２］
　ＬＥＤ（Light　Emission　Diode）素子を表示画素に用いたディスプレイでは、ＬＥＤ素子をマトリクス駆動をさせるために、各画素に対してＸ−Ｙのアドレッシング駆動回路を必要とする。ディスプレイは、アドレッシング駆動回路により、発光（点灯）させたい画素の位置にあるＬＥＤ素子を選択（アドレッシング）し、点灯させる時間を、例えば、ＰＷＭ（Pulse　Width　Modulation）駆動によって変調することにより輝度調整を実施し、所定の階調性のある表示画面を得ている。
　しかし、個々のＬＥＤに対して駆動用の回路を組み込むと、ＬＥＤの数が多い場合には、回路構成が複雑になりコストが高くなってしまう。
　その一方で、液晶表示用のバックライト光源としてＬＥＤ素子を用いることが提案され検討されている、特に、赤（Ｒ）、緑（Ｇ）、青（Ｂ）の各原色のＬＥＤ素子を個別に使用し、光学的に合成加法混色して白色を得る方法は、色のバランスがとりやすいため、テレビジョン受像機の表示装置用として盛んに検討されている。
　ところで、ＬＥＤ素子は、個々に輝度のばらつきを持っており、その個々のばらつきを補正しようとすると、必然的に、１つ１つの素子を独立した駆動回路で駆動せねばならず、駆動の形態が、前述したＬＥＤ素子を表示画素に用いたディスプレイに相当するマトリクス型駆動方式に酷似してくる。すなわち、ＬＥＤ素子の数が多い場合には、アドレッシングによる駆動回路が複雑になってしまう。
　また、
ＬＥＤ素子を光源として
液晶ディスプレイのバックライトとして用いる
赤（Ｒ）、緑（Ｇ）、青（Ｂ）の各原色のＬＥＤ素子の発光効率が異なるため、各色のＬＥＤ素子に印加する電流も色毎に調整する必要があ
　また、各々のＬＥＤ素子の電力が大きく、照明用途のＬＥＤ駆動に使用する実際の回路は、大電力駆動用のＬＳＩ等がいまだ作成されていないため、マトリクス型駆動方式では、コストが高くなり経済的に不利益となる。
　そこで、回路規模を大規模にしないように、ＬＥＤ素子の接続形式を縦列接続形式として用いる方法が提案されている。縦列接続形式では、ある一連のＬＥＤ接続グループ（群）、例えば、
赤、緑、青のＬＥＤ素子が各色毎に接続されたグループ（群）における電流をＰＷＭ調整することによって、赤、緑、青のＬＥＤ素子から発せられる光の合成による色合いと輝度を調整している
　ＬＥＤ素子の接続形式として
縦列接続形式を採用したバックライト装置
縦列接続された赤、緑、青のＬＥＤ素子群毎に所定の電圧を供給するＤＣ−ＤＣコンバータ電源部が備えられ、また、負荷側にＬＥＤ−ＰＷＭコントロール部が備えられている
　ところで、上述したような構成では、
各色系統の発光出力の温度依存性も異なり、温度特性が不揃いであるので、それぞれの色専用の駆動回路によって色毎にパルス幅の調整が必要になる
　例えば、
バックライトユニットの点灯直後のまだ、温度が温まりきらない状況下においては、発光効率の高い赤色のＬＥＤ素子では、ＰＷＭ信号の駆動パルス幅のＯＮ時間が５０％程度で発光するのに対し、発光効率の悪い青では、ＰＷＭ信号の駆動パルス幅のＯＮ時間が８０〜９０％程度で発光する
　このような性質のものである
ので、赤、緑、青のＬＥＤ素子から発せられる光の合成により得られる白色の色合い（色温度及び色度）と、輝度を一定に保つためには、赤、緑、青のＬＥＤ素子それぞれから発せられる光を光センサで検出し、その値が一定になるようにフィードバックサーボを実施する
　このような、フィードバックシステムでは、例えば、ＰＷＭ信号を実施するためのパルス幅の変化の分解能が粗い場合には、０％〜１００％の間を何等分するのかによって、発光効率の良い赤のＬＥＤ素子では変化幅が粗くなり、発光効率の悪い青のＬＥＤ素子では変化幅が細かいといった、調整精度に差がでてしまう。
　また、各色系統の分解能の相違により、ＬＥＤ素子から発せられる光の色が各色毎に不揃いな精度を持ってしまうので、ＲＧＢのバランスの調整や、白色光の調整が困難となってしまう。
　また、上述の問題点を全て解消し得たとしても、
各色のＬＥＤ素子は、温度変化により、発光出力だけでなく、さらに各色のＬＥＤ素子の発光スペクトル分布が変化し、各色の発光色度が変動する。したがって、光センサにより各色のＬＥＤ素子の光量を検出しただけでは、色合いの変化を補正できず、バックライトユニットがその駆動にともない例えば上下方向に温度分布を有する場合は、その温度の違いによる色むらが発生する。
　
（３）「発明が解決しようとする課題
［０００３］
　本発明は、上述したような従来の技術が有す
る問題点に鑑みて
バックライトユニットを構成するＬＥＤ素子群の発光量及び発熱量に基づいて、ＬＥＤ素子群を発光させる駆動部を制御するバックライトユニットの駆動装置
　本発明に係る駆動装置は、
３原色毎にＬＥＤ（Light　Emission　Diode）素子が複数個縦列接続されたＬＥＤ素子群からなるバックライトユニットの駆動装置において、任意の振幅の信号を発生する信号発生手段と、信号発生手段により発生された信号に基づき、ＬＥＤ素子群の発光量を調整する調整手段と、ＬＥＤ素子群毎に所定の電圧を印加する電圧印加手段と、電圧印加手段により印加された電圧に応じて、ＬＥＤ素子群から発せられる光量を検出する発光量検出手段と、ＬＥＤ素子群の温度を検出する温度検出手段と、発光量検出手段により検出された発光量と、温度検出手段により検出された温度に基づき、信号発生手段を制御する制御手段を備える
　また、本発明に係る駆動方法は、３原色毎にＬＥＤ（Light　Emission　Diode）素子が複数個縦列接続されたＬＥＤ素子群からなるバックライトユニットの駆動方法において、ＬＥＤ素子群毎に所定の電圧を印加する電圧印加工程と、電圧印加工程により印加された電圧に応じて、ＬＥＤ素子群から発せられる光量を検出する発光量検出工程と、ＬＥＤ素子群の温度を検出する温度検出工程と、発光量検出工程により検出された発光量と、温度検出工程により検出された温度に基づき、任意の振幅の信号を発生する信号発生工程と、信号発生工程により発生された信号に基づき、ＬＥＤ素子群の発光量を調整する調整工程を備える。
　本発明に係る駆動装置及び方法では、液晶バックライトとして使用するＬＥＤ素子の駆動において、任意の色に関するフォトセンサの検出結果を基準とすることにより他の色を監視し、相対的な比率をフィードバックするとともに、温度センサの検出結果に基づき、フィードバックする比率の割合を変動させることにより、極めて均一な制御を可能とする。
　本発明のさらに他の目的、本発明によって得られる利点は、以下において図面を参照して説明される実施に形態から一層明らかにされるであろう。」
　
（４）「発明を実施するための最良の形態
［０００５］
　以下、本発明の実施の形態を図面を参照して詳細に説明する。
　本発明は、例えば図１に示すような構成のバックライト方式のカラー液晶表示装置１００に適用される。
　図１に示すカラー液晶表示装置１００は、透過型のカラー液晶表示パネル１０と、このカラー液晶表示パネル１０の背面側に設けられたバックライト装置２０とを備える。
　透過型のカラー液晶表示パネル１０は、ＴＦＴ基板１１と対向電極基板１２とを互いに対向配置し、その間隙に例えばツイステッドネマチック（ＴＮ）液晶を封入した液晶層１３を設けた構成を備える。ＴＦＴ基板１１にはマトリクス状に配置された信号線１４と走査線１５及びこれらの交点に配置されたスイッチング素子としての薄膜トランジスタ１６と画素電極１７が形成されている。薄膜トランジスタ１６は走査線１５により順次選択されるとともに、信号線１４から供給される映像信号を対応する画素電極１７に書き込む。一方、対向電極基板１２の内表面には対向電極１８及びカラーフィルタ１９が形成されている。
　このカラー液晶表示装置１００は、このような構成の透過型のカラー液晶表示パネル１０を２枚の偏光板で挟み、バックライト装置２０により背面側から白色光を照射した状態で、アクティブマトリクス方式で駆動することによって、所望のフルカラー　映像表示が得られる。
　バックライト装置２０は、光源２１と波長選択フィルタ２２とを備えている。バックライト装置２０は、光源２１から発光された光を、波長選択フィルタ２２を介してカラー液晶表示パネル１０を背面側から照明する。
　本発明が適用されたカラー液晶表示装置１００は、例えば図２に電気的なブロック構成を示す駆動回路２００により駆動される。
　
駆動回路２００
バックライト装置２０の駆動電源を供給する電源部１１０、カラー液晶表示パネル１０を駆動するＸドライバ回路１２０及びＹドライバ回路１３０、外部から映像信号が入力端子１４０を介して供給されるＲＧＢプロセス処理部１５０、このＲＧＢプロセス処理部１５０に接続された映像メモリ１６０及び制御部１７０、バックライト装置２０の駆動制御するバックライト駆動制御部１８０等を備え
　この駆動回路２００において、入力端子１４０を介して入力された映像信号Ｖｉは、ＲＧＢプロセス処理部１５０によりクロマ処理等の信号処理がなされ、さらに、コンポジット信号からカラー液晶表示パネル１０の駆動に適したＲＧＢセパレート信号に変換されて、制御部１７０に供給されるとともに、画像メモリ１６０を介してＸドライバ１２０に供給される。また、制御部１７０は、上記ＲＧＢセパレート信号に応じた所定のタイミングでＸドライバ１２０及びＹドライバ回路１３０を制御して、上記画像メモリ１６０を介してＸドライバ１２０に供給されるＲＧＢセパレート信号でカラー液晶表示パネル１０を駆動することにより、上記ＲＧＢセパレート信号に応じた映像を表示する。
バックライト装置２０は、透過型のカラー液晶表示パネル１０を背面に配設され、カラー液晶表示パネル１０の背面直下から照明する直下型タイプである。バックライト装置２０の光源２１は、複数の発光ダイオード（LED:light　Emitting　Diode）を有しており、これら複数の発光ダイオードを発光源としている。複数の発光ダイオードは、一群の発光ダイオードから構成されたグループに分割されており、そのグループ毎に駆動がされる。
　次に、バックライト装置２０の光源２１における発光ダイオードの配置について説明する。
　図３は、発光ダイオードの配置例として、単位セル４−１，４−２毎に、赤の発光ダイオード１、緑の発光ダイオード２及び青の発光ダイオード３をそれぞれ２個使用し、合計６個の発光ダイオードを一列に配列した様子を示している。
この配置例では、単位セル４に６個の発光ダイオードを備えているが、使用する発光ダイオードの定格、発光効率などにより、混合色をバランスの良い白色光とするために、光出力バランスを整える必要から、各色の個数配分は本例以外のバリエーションがあり得る。
　図３に示した配置例において、単位セル４−１と単位セル４−２とは、全く同一の構成となっており、中央の両端矢印部分で接続されている。また、図４は、単位セル４−１及び単位セル４−２が接続された形を電気回路図記号のダイオードマークによって図示した例を示す。この例の場合、各発光ダイオード、すなわち、赤の発光ダイオード１、緑の発光ダイオード２、青の発光ダイオード３は左から右に電流が流れる方向に極性を合わせて直列接続されている。
　ここで、赤の発光ダイオード１、緑の発光ダイオード２及び青の発光ダイオード３をそれぞれ２個使用し、合計６個の発光ダイオードを一列に配列した単位セル４を各色の発光ダイオードの個数でパターン表記すると図５に示すように（２Ｇ　２Ｒ　２Ｂ）となる。すなわち、（２Ｇ　２Ｒ　２Ｂ）は、緑と赤と青２個ずつ合計６個のパターンを基本単位としていることを示す。そして、図６に示すように、基本単位の単位セル４を３つ連続に繋げた場合、記号が３＊（２Ｇ　２Ｒ　２Ｂ）で、発光ダイオードの個数でパターン表記すると（６Ｇ　６Ｒ　６Ｂ）で示される。
　次に、バックライト装置２０の光源２１における発光ダイオードの接続関係を説明する。
　光源２１には、図７に示すように、前述した発光ダイオードの基本単位（２Ｇ　２Ｒ　２Ｂ）の３倍を１つの中単位（６Ｇ　６Ｒ　６Ｂ）とし、この中単位（６Ｇ　６Ｒ　６Ｂ）が画面に対して、水平５行、垂直４列のマトリクス状に配置されている。その結果、合計で３６０個の発光ダイオードが配置される。これらの中単位（６Ｇ　６Ｒ　６Ｂ）は、画面の水平方向に電気的に接続される。このように中単位（６Ｇ　６Ｒ　６Ｂ）が画面水平方向に電気的に接続されることにより、バックライト装置２０の光源２１には、図８に示すように、画面水平方向に並んだ発光ダイオードが直列接続され、水平方向に直列接続された複数の発光ダイオード群３０が複数個形成される。
　さらに、バックライト装置２０には、
水平方向に直列接続した発光ダイオード群３０の一つ一つに独立したＬＥＤ駆動回路３１が設けられている
　ここで、水平方向に直列接続した発光ダイオード群３０の配置は、バックライト装置２０の温度分布を測定したときに、略同一の温度となる領域に配置された発光ダイオード同士を接続した状態となっている。
　図９に、バックライト装置２０の動作時のカラー液晶表示装置１００の画面上の温度分布例を示す。図９は、ハッチングの濃い部分が高い温度の領域であり、ハッチングが薄い部分が温度が低い領域を示している。この図９に示すように、カラー液晶表示装置１００は、画面上部Ｓｕほど温度が高くなり、画面下部Ｓｄは温度が低くなる。
　図１０は、図８の発光ダイオードの接続関係を示す図と、図９の温度分布図とを重ね合わせたものである。この図１０に示すように、本例では画面の水平方向に並んだ発光ダイオードを接続すると、略同一の温度となる発光ダイオード同士が接続されることが分かる。
　また、バックライト装置２０には、図１０に示すように、各発光ダイオード群３０の温度を検出する温度センサ３２が設けられている。
　温度センサ３２は、図１０に示すように水平方向に直列接続された発光ダイオード群３０に対応した各垂直位置に複数個設けられていてもよいし、１つのバックライト装置２０に１つだけ設けられていてもよい。また、バックライト装置２０に、例えば、図１１に示すように、画面中央に１つの温度センサ３２と、予め画面垂直方向の温度分布パターンを記憶したメモリ、例えば、後述するメモリ４９とを設け、１つの温度センサ３２の検出値からメモリの内容を参照して、画面垂直方向の各位置における温度を推定するようにしてもよい。温度センサ３２により検出される温度値は、対応する発光ダイオード群３０を駆動するＬＥＤ駆動回路３１に供給される。
また、バックライト装置２０には、図１０に示すように、例えば各発光ダイオード群３０のＲ，Ｇ，Ｂの各色の光量若しくは色度を検出する光量又は色度センサ３３（３３Ｒ，３３Ｇ，３３Ｂ）が設けられている。
　光量又は色度センサ３３（３３Ｒ，３３Ｇ，３３Ｂ）は、図１０に示すように、水平方向に直列接続された発光ダイオード群３０に対応した各垂直位置に、複数個設けられている。また、全体混色を均一にできる拡散板などを活用し、個々のＬＥＤの発光を効果的に混色せしめる光学系を用いるなどすることにより、光量又は色度センサ３３（３３Ｒ，３３Ｇ，３３Ｂ）を１つにしてもよい。
　なお、ＬＥＤを液晶用バックライト光源として使用する場合には、配置上及び形状の制約から、光量又は色度センサ３３を発光ダイオード群３０の近傍に配置できない場合がある。光量又は色度センサ３３は、発光ダイオード群３０から離れた場所に配置された場合には、発光ダイオード群３０から発光される光を弱く検出し、発光ダイオード群３０から近い場所に配置された場合には、発光ダイオード群３０から発光される光を強く検出する。このような場合、光学シュミレーションや基準発光ダイオードによる実測等により光量又は色度センサ３３の特性を算出し、その補正値データを予めメモリテーブルとして用意しておき、感知した光量データを補正値データに基づいて補正することで対応することができる。
　次に、水平方向に直列接続された発光ダイオード群３０を駆動するＬＥＤ駆動回路３１について説明をする。なお、ＬＥＤ駆動回路３１は、バックライト駆動制御部１８０内に備えられている。
　図１２に、
ＬＥＤ駆動回路３１
　ＬＥＤ駆動回路３１は、
ＤＣ-ＤＣコンバータ４１
ＦＥＴ４３
ＰＷＭ制御回路４４
ＣＰＵ（Central　Processing　Unit）５０
　ＬＥＤ駆動回路３１には、温度センサ３２及び光量又は色度センサ３３（３３Ｒ，３３Ｇ，３３Ｂ）の検出出力値が入力される。
　ＤＣ-ＤＣコンバータ４１は、図２に示した電源１１０から発生された直流電圧ＶＩＮが入力され、入力された直流電力をスイッチングして安定化した直流の出力電圧Ｖｃｃを発生する。ＤＣ−ＤＣコンバータ４１は、フィードバック端子Ｖｆから入力された電圧と出力電圧Ｖｃｃとの電位差が基準電圧値（Ｖｒｅｆ）となるように安定化した出力電圧Ｖｃｃを発生する。なお、基準電圧値（Ｖｒｅｆ）は、ＣＰＵ５０から供給される。
　直列接続した発光ダイオード群３０のアノード側は、定抵抗（Ｒｃ）を介してＤＣ−ＤＣコンバータ４１の出力電圧Ｖｃｃの出力端と接続されている。また、直列接続した発光ダイオード群３０のアノード側は、サンプルホールド用ＦＥＴ４６のソース-ドレインを介してＤＣ-ＤＣコンバータ４１のフィードバック端に接続されている。また、直列接続した発光ダイオード群３０のカソード側は、ＦＥＴ４３のソース-ドレイン間を介してグランドに接続されている。
　ＦＥＴ４３のゲートには、ＰＷＭ制御回路４４から発生されたＰＷＭ信号が入力される。ＦＥＴ４３は、ＰＷＭ信号がオンのときにソース-ドレイン間がオンとなり、ＰＷＭ信号がオフのときにソース-ドレイン間がオフとなる。したがって、ＦＥＴ４３は、ＰＷＭ信号がオンのときに発光ダイオード群３０に電流を流し、ＰＷＭ信号がオフのときには発光ダイオード群３０に流れる電流を０とする。すなわち、ＦＥＴ４３は、ＰＷＭ信号がオンのときに発光ダイオード群３０を発光させ、ＰＷＭ信号がオフのときには発光ダイオード群３０の発光を停止させる。
　ＰＷＭ制御回路４４は、オン時間及びオフ時間のデューティ比を調整される２値信号であるＰＷＭ信号を発生する。ＰＷＭ制御回路４４は、ＣＰＵ５０からＰＷＭ制御値が供給され、このＰＷＭ制御値に応じてデューティ比を変更する。
　コンデンサ４５は、ＤＣ-ＤＣコンバータ４１の出力端とフィードバック端との間に設けられている。抵抗４７は、ＤＣ-ＤＣコンバータ４１の出力端とサンプルホールド用ＦＥＴ４６のゲートに接続されている。
　ホールドタイミング回路４８は、ＰＷＭ信号が入力され、ＰＷＭ信号の立ち上がりエッジで所定時間だけＯＦＦとなり、その他の時間ではＯＮとなるホールド信号を発生する。
　サンプルホールド用ＦＥＴ４６のゲートには、ホールドタイミング回路４８から出力されたホールド信号が入力される。サンプルホールド用ＦＥＴ４６は、ホールド信号がオフのときにソースードレイン間がオンとなり、ホールド信号がオンのときのソース-ドレイン間がオフとなる。
　以上のようなＬＥＤ駆動回路３１では、ＰＷＭ制御回路４４から発生されたＰＷＭ信号がオンとなる時間のみ発光ダイオード群３０に電流ＩＬＥＤが流される。また、コンデンサ４５、サンプルホールド用ＦＥＴ４６及び抵抗４７によりサンプルホールド回路を構成している。このサンプルホールド回路は、発光ダイオード群３０のアノード、すなわち、出力電圧Ｖｃｃが接続されていない方の定抵抗４２の一端の電圧値を、ＰＷＭ信号のオン時にサンプルし、ＤＣ−ＤＣコンバータ４１のフィードバック端に供給している。ＤＣ−ＤＣコンバータ４１は、フォードバック端に入力される電圧値に基づき、出力電圧Ｖｃｃを安定化させるので、定抵抗Ｒｃ４２及び発光ダイオード群３０に流れる電流ＩＬＥＤの波高値が一定となる。
　したがって、ＬＥＤ駆動回路３１では、発光ダイオード群３０に流れる電流ＩＬＥＤの波高値が一定とされた状態で、ＰＷＭ信号に応じたパルス駆動される。
　
ＣＰＵ５０
温度センサ３２
光量又は色度センサ３３（３３Ｒ，３３Ｇ，３３Ｂ）
バックライト装置２０から発光される白色光の色合い（色温度及び色度）及び輝度が一定となるように、発光ダイオード群３０に流れる電流量を調整する
　発光ダイオード群３０に流れる電流量の調整は、ＰＷＭ制御値を変化させることにより発光ダイオード群３０に流れる電流のデューティを調整してもよいし、ＤＣ−ＤＣコンバータ４１に与える基準電圧値（Ｖｒｅｆ）を変化させることにより発光ダイオード群３０に流れる電流の波高値を調整してもよいし、又は、これらの組み合わせによって調整してもよい。
　このように温度センサ３２及び光量又は色度センサ３３（３３Ｒ，３３Ｇ，３３Ｂ）の両者の検出信号に基づき、ＣＰＵ５０が発光ダイオード群３０の発光の強度のフィードバック制御を行うことによって、画面内において均一な色度及び輝度の白色光を発生させることができるようになる。
　ここで、発光ダイオードの発光の強度を制御するために、温度センサ３２の検出出力値を用いる理由について説明をする。
　まず、ＬＥＤ素子の温度特性について、図１３〜図１５の図を参照して説明をする。
　図１３は、赤（Ｒ）、緑（Ｇ）、青（Ｂ）の各ＬＥＤ素子の相対輝度を表した図である。図１３のグラフは、ｘ軸方向にＬＥＤ素子温度を示し、ｙ軸方向に相対輝度を示し、素子温度２５℃の点を相対輝度１００％としている。
　
赤（Ｒ）のＬＥＤ素子は、
高温時に、
発光する光量が低下し、ＬＥＤ素子の運転温度として一般的な７０℃程度の状態では、２５℃を常温としたときの６０％程度に輝度値が低下してしま
他色に比較して温度に対する輝度値の変化が激し
　
一方、
緑（Ｇ）のＬＥＤ素子と青（Ｂ）のＬＥＤ素子は、赤（Ｒ）のＬＥＤ素子よりも
温度の影響を受けにくく
　このように、ＬＥＤ素子の発光光量は、色毎に温度特性が異なることが分かる。
　図１４は、赤（Ｒ）、緑（Ｇ）、青（Ｂ）の各ＬＥＤ素子の発光波長に対する明るさを示したグラフである。図１４には、温度が０℃、２５℃、５０℃のそれぞれの場合についてのグラフを示している。なお、図１４のグラフは、ｘ軸方向に発光波長を示し、ｙ軸方向に発光出力（明るさ）を示している。
　図１４を参照して分かるように、各ＬＥＤ素子は、温度に対する発光量（曲線で囲まれた部分の面積）が変化するだけではなく、高温になるほど長波長側にシフトしている。特に、赤（Ｒ）のＬＥＤ素子は、山形の頂点（ピーク）に相当する波長（ピーク波長）が、高温になるにしたがって大きく長波長側へのシフトしている。
　以上の図１３及び図１４から、ＬＥＤ素子は、各色でその温度特性が大きく異なることが分かる。具体的には、
青（Ｂ）のＬＥＤ素子は、温度変化に対する輝度値にほとんど変化はなく、また、温度変化に対する波長の変動も少ない特性があり、
また、温度変化に対する波長の変動も大きい
　図１５は、上述した特性を有する赤（Ｒ）のＬＥＤ素子、緑（Ｇ）のＬＥＤ素子、青（Ｂ）のＬＥＤ素子から発せられる光を組み合わせて、バックライト装置２０において光学的に合成加法混色して白色光を得たときの、白色色度（ＣＩＥ色度座標表示（ｘ，ｙ））の温度偏差を示したものである。なお、図１５に示した特性は、温度及び色度センサに基づく光量のフィードバック制御は停止させて測定している。この図１５に示すように、白色光の色度は、３５℃から６０℃へ温度の上昇をすると、Ｙの偏差（Δｙ値）が＋０．００２５となり、Ｘの偏差率（Δｘ値）が−０．０１５となる偏差を有しており、図１４に示した、赤（Ｒ）のＬＥＤ素子の温度変化に対する特性において、山形の頂点（ピーク）に相当する波長（ピーク波長）が、温度が高温になるに伴って長波長側へシフト（移動）している傾向と一致していることが分かる。
　ＬＥＤ素子は、以上のような温度特性を有している。
　このようにＬＥＤ素子は、温度依存性が大きいとともに、色によってその特性が異なっている。このため、ＣＰＵ５０は、バックライト装置２０から発光される白色光の色合い（色温度及び色度）を一定とするには、温度センサ３２も用いて制御を行う必要がある。」
　
（５）上記（１）ないし（４）から、引用例には、
「バックライト装置の駆動電源を供給する電源部、カラー液晶表示パネルを駆動するＸドライバ回路及びＹドライバ回路、外部から映像信号が入力端子を介して供給されるＲＧＢプロセス処理部、このＲＧＢプロセス処理部に接続された映像メモリ及び制御部、バックライト装置の駆動制御するバックライト駆動制御部等を備え、
　赤、緑、青の各原色のＬＥＤ素子毎に発光効率が異なるために各色のＬＥＤ素子に印加する電流も色毎に調整する必要があり、各色系統の発光出力の温度依存性も異なり、温度特性も不揃いであり、赤のＬＥＤ素子は、高温時に発光する光量が低下し、ＬＥＤ素子の運転温度として一般的な７０℃程度の状態では、２５℃を常温としたときの６０％程度に輝度値が低下してしまい、他色に比較して温度に対する輝度値の変化が激しく、また、温度変化に対する波長の変動も大きく、一方、緑のＬＥＤ素子と青のＬＥＤ素子は、赤のＬＥＤ素子よりも温度の影響を受けにくく、青のＬＥＤ素子は、温度変化に対する輝度値にほとんど変化はなく、また、温度変化に対する波長の変動も少ない特性があり、それぞれの色専用の駆動回路によって色毎にパルス幅の調整が必要であるので、
　所定の電圧を供給するＤＣ−ＤＣコンバータ電源部を、縦列接続された赤、緑、青のＬＥＤ素子群毎に備え、ＬＥＤ−ＰＷＭコントロール部を各ＬＥＤ素子群の負荷側に備え、
　各ＬＥＤ素子群における電流をＰＷＭ調整することによって、赤、緑、青のＬＥＤ素子から発せられる光の合成による色合いと輝度を調整するようにしている、縦列接続された赤、緑、青のＬＥＤ素子群を発光させる駆動部を制御するバックライトユニットの駆動回路において、
　バックライトユニットの点灯直後のまだ温度が温まりきらない状況下においては、発光効率の高い赤色のＬＥＤ素子ではＰＷＭ信号の駆動パルス幅のＯＮ時間が５０％程度で発光するのに対し、発光効率の悪い青ではＰＷＭ信号の駆動パルス幅のＯＮ時間が８０〜９０％程度で発光するので、赤、緑、青のＬＥＤ素子から発せられる光の合成により得られる白色の色合い（色温度及び色度）と輝度を一定に保つために、赤、緑、青のＬＥＤ素子それぞれから発せられる光を光センサで検出しその値が一定になるようにフィードバックサーボを実施しても、各色のＬＥＤ素子は、温度変化により、発光出力だけでなく各色のＬＥＤ素子の発光スペクトル分布が変化し各色の発光色度が変動するので、光センサにより各色のＬＥＤ素子の光量を検出しただけでは色合いの変化を補正できず、バックライトユニットがその駆動にともない例えば上下方向に温度分布を有する場合はその温度の違いによる色むらが発生するといった問題点があるので、
　前記バックライト駆動制御部に、ＰＷＭ制御信号に基づき各ＬＥＤ素子群である発光ダイオード群の発光量を調整する調整手段であるＰＷＭ制御回路と、ＬＥＤ素子群毎に所定の電圧を印加する電圧印加手段である前記ＤＣ-ＤＣコンバータと、ＤＣ-ＤＣコンバータにより印加された電圧に応じて、発光ダイオード群から発せられる光量を検出する発光量検出手段である光量又は色度センサと、発光ダイオード群の温度を検出する温度検出手段である温度センサと、光量又は色度センサにより検出された発光量と、温度センサにより検出された温度に基づき、ＰＷＭ制御信号を制御する制御手段であるＣＰＵを備え、
　光量又は色度センサにより検出された発光量と、温度センサにより検出された温度に基づき、発光ダイオード群を発光させる駆動部であるＦＥＴを制御して、バックライト装置から発光される白色光の色合い（色温度及び色度）及び輝度が一定となるように発光ダイオード群に流れる電流量を調整するようにした、縦列接続された赤、緑、青のＬＥＤ素子群を発光させる駆動部を制御するバックライトユニットの駆動回路。」の発明（以下「引用発明」という。）が記載されているものと認められる。
　
３　対比
　本願発明と引用発明を対比する。
（１）引用発明の「バックライト装置の駆動電源を供給する電源部」、「所定の電圧を供給するＤＣ−ＤＣコンバータ電源部」、「赤、緑、青のＬＥＤ素子」、「緑のＬＥＤ素子」、「赤のＬＥＤ素子」、「青のＬＥＤ素子」、「温度変化」、「輝度値の変化」及び「縦列接続された赤、緑、青のＬＥＤ素子群を発光させる駆動部を制御するバックライトユニットの駆動回路」は、それぞれ、本願発明の「予め設定された駆動定電圧を供給する駆動定電圧部」、「駆動回路部」、「複数のカラーＬＥＤ」、「緑色ＬＥＤ」、「赤色ＬＥＤ」、「青色ＬＥＤ」、「周囲温度の変化」、「輝度変化」及び「カラーＬＥＤ駆動装置」に相当する。
　
（２）引用発明の「駆動回路部（所定の電圧を供給するＤＣ−ＤＣコンバータ電源部）」は、縦列接続された赤、緑、青のＬＥＤ素子群毎に備えられており、かつ、「駆動定電圧部（バックライト装置の駆動電源を供給する電源部）」から供給される駆動電源を入力としていることが明らかであるから、本願発明の「駆動回路部」と、「前記駆動定電圧部によって供給された駆動定電圧を、カラーＬＥＤを駆動するために赤色ＬＥＤ用駆動電流、緑色ＬＥＤ用駆動電流及び青色ＬＥＤ用駆動電流を含む複数の駆動電流に変換する」点で一致するといえる。
　
（３）引用発明の「複数のカラーＬＥＤ（赤、緑、青のＬＥＤ素子）」は、縦列接続され赤、緑、青のＬＥＤ素子群とされ、「駆動回路部（ＤＣ-ＤＣコンバータ）」により印加された電圧に応じた光量を発するから、本願発明の「複数のカラーＬＥＤ」と、「前記駆動回路部からの駆動電流によって点灯する」点で一致する。
　また、引用発明の「複数のカラーＬＥＤ（赤、緑、青のＬＥＤ素子）」を含む部分はＬＥＤ部といえるから、引用発明は「ＬＥＤ部」を有しているといえ、引用発明の「ＬＥＤ部」と本願発明の「ＬＥＤ部」とは「複数のカラーＬＥＤを含む」点で一致する。
　
（４）引用発明において、ＬＥＤ素子の発光効率は、赤、緑、青の各原色のＬＥＤ素子毎に異なり、各色のＬＥＤ素子に印加する電流も色毎に調整する必要があり、各色系統の発光出力の温度依存性も異なり、温度特性も不揃いであり、赤のＬＥＤ素子は、高温時に発光する光量が低下し、ＬＥＤ素子の運転温度として一般的な７０℃程度の状態では、２５℃を常温としたときの６０％程度に輝度値が低下してしまい、他色に比較して温度に対する輝度値の変化が激しく、また、温度変化に対する波長の変動も大きく、一方、緑のＬＥＤ素子と青のＬＥＤ素子は、赤のＬＥＤ素子よりも温度の影響を受けにくく、青のＬＥＤ素子は、温度変化に対する輝度値にほとんど変化はなく、また、温度変化に対する波長の変動も少ない特性があるから、緑のＬＥＤ素子及び赤のＬＥＤ素子は、青のＬＥＤ素子より周囲温度の変化による輝度変化が大きいといえる。
　したがって、引用発明の「ＬＥＤ部」と本願発明の「ＬＥＤ部」とは、「構成する緑色ＬＥＤ及び赤色ＬＥＤは、前記青色ＬＥＤより周囲温度の変化による輝度変化が大きい」点で一致する。
　
（５）引用発明の「カラーＬＥＤ駆動装置（縦列接続された赤、緑、青のＬＥＤ素子群を発光させる駆動部を制御するバックライトユニットの駆動回路）」は、光量又は色度センサにより検出された発光量と、温度センサにより検出された温度に基づき、発光ダイオード群を発光させる駆動部であるＦＥＴを制御して、バックライト装置から発光される白色光の色合い（色温度及び色度）及び輝度が一定となるように発光ダイオード群に流れる電流量を調整するようにしたものであるから、温度補償部を有しているといえる。
　したがって、引用発明の「カラーＬＥＤ駆動装置」と本願発明の「カラーＬＥＤ駆動装置」とは、「温度補償部を備え」る点で一致する。
　
（６）上記（１）ないし（５）から、本願発明と引用発明とは、
「予め設定された駆動定電圧を供給する駆動定電圧部と、
　前記駆動定電圧部によって供給された駆動定電圧を、カラーＬＥＤを駆動するために赤色ＬＥＤ用駆動電流、緑色ＬＥＤ用駆動電流及び青色ＬＥＤ用駆動電流を含む複数の駆動電流に変換する駆動回路部と、
　温度補償部と、
　前記駆動回路部からの駆動電流によって点灯する複数のカラーＬＥＤを含むＬＥＤ部と
　を備え、
　前記ＬＥＤ部を構成する緑色ＬＥＤ及び赤色ＬＥＤは、前記青色ＬＥＤより周囲温度の変化による輝度変化が大きい、
　カラーＬＥＤ駆動装置。」である点で一致し、次の点で相違する。
　
相違点：
　本願発明では、前記温度補償部が、前記駆動回路部で変換された複数の駆動電流のうち、前記赤色ＬＥＤ用駆動電流及び緑色ＬＥＤ用駆動電流の温度変化による変動を補償するものであり、前記温度補償部からの駆動電流によっても前記複数のカラーＬＥＤを点灯しており、前記温度補償部は、前記赤色ＬＥＤ用駆動電流を温度変化によって補償する第１ＮＴＣサーミスタと、前記第１ＮＴＣサーミスタに並列に連結されて前記赤色ＬＥＤ用駆動電流の線形性を補償する第１線形補償用抵抗とを含む第１温度補償回路と、前記緑色ＬＥＤ用駆動電流を温度変化によって補償する第２ＮＴＣサーミスタと、前記第２ＮＴＣサーミスタに並列に連結されて前記緑色ＬＥＤ用駆動電流の線形性を補償する第２線形補償用抵抗とを含む第２温度補償回路とを備えているのに対して、
　引用発明では、前記温度補償部がそのようなものではない点。
　
４　判断
上記相違点について検討する。
（１）温度変動によって光出力が変動する発光素子駆動回路において、広い温度範囲に渡り常に一定の光出力を供給できるように発光素子に供給される電流を調整するために、サーミスタと調整抵抗との並列回路からなる温度依存性の抵抗部を発光素子に直列に接続したものは、本願の優先日前に周知である（以下「周知技術」という。例．特開平１１−１２１８５２号公報（【請求項１】、【請求項３】、【００１６】、【００１７】、【００２６】、【００２７】、図７参照。）、原査定で引用された特開２００２−２３７６４５号公報（【０００５】、【００１１】、【００１２】、【００２９】、図２参照。））。
　そして、周知技術によれば、簡易な回路を付加するのみで温度によらず安定した光出力を得ることができ、低コスト化を図ることができること（上記特開平１１−１２１８５２号公報の【００３５】参照。）が、当業者に自明である。
　
（２）上記（１）からみて、引用発明において、温度変化に対する輝度値にほとんど変化はなく、また、温度変化に対する波長の変動も少ない特性がある「青色ＬＥＤ（青のＬＥＤ素子）」は除き、前記「赤色ＬＥＤ（赤のＬＥＤ素子）」に、サーミスタと調整抵抗との並列回路からなる温度依存性の抵抗部を直列に接続し、該「赤色ＬＥＤ」用の駆動電流を温度変化に対して補償し、該温度依存性の抵抗部からの電流によって該「赤色ＬＥＤ」を点灯するようになし、前記「緑色ＬＥＤ（緑のＬＥＤ素子）」にサーミスタと調整抵抗との並列回路からなる温度依存性の抵抗部を直列に接続し、該「緑色ＬＥＤ」用の駆動電流を温度変化に対して補償し、該温度依存性の抵抗部からの電流によって前記「緑色ＬＥＤ」を点灯するようになし、前記「温度補償部」を簡易な回路にすることで低コスト化を図ることは、当業者が周知技術に基づいて容易に想到することができた程度のことである。
　
（３）上記（２）において、「赤色ＬＥＤ」に直列に接続した「サーミスタと調整抵抗との並列回路からなる温度依存性の抵抗部」、及び、「緑色ＬＥＤ」に直列に接続した「サーミスタと調整抵抗との並列回路からなる温度依存性の抵抗部」は、本願発明の「前記駆動回路部で変換された複数の駆動電流のうち、前記赤色ＬＥＤ用駆動電流及び緑色ＬＥＤ用駆動電流の温度変化による変動を補償する温度補償部」に相当し、上記のようにした「赤色及び緑色のＬＥＤ」はこの「温度補償部」からの駆動電流によって点灯することになり、上記「サーミスタ」は本願発明の「第１及び第２のＮＴＣサーミスタ」に相当し、上記「調整抵抗」は本願発明の「第１及び第２のＮＴＣサーミスタに並列に連結されて前記赤色及び緑色のＬＥＤ用駆動電流の線形性を補償する第１及び第２の線形補償用抵抗」に相当する。
　したがって、引用発明において、前記「温度補償部」を、前記「赤色ＬＥＤ用駆動電流」を温度変化によって補償する「第１ＮＴＣサーミスタ」と、前記「第１ＮＴＣサーミスタ」に並列に連結されて前記「赤色ＬＥＤ用駆動電流」の線形性を補償する「第１線形補償用抵抗」とを含む第１温度補償回路と、前記「緑色ＬＥＤ用駆動電流」を温度変化によって補償する「第２ＮＴＣサーミスタ」と、前記「第２ＮＴＣサーミスタ」に並列に連結されて前記「緑色ＬＥＤ用駆動電流」の線形性を補償する「第２線形補償用抵抗」とを含む第２温度補償回路とを備えたものとし、該「温度補償部」が、前記「駆動回路部」で変換された複数の駆動電流のうち、前記「赤色ＬＥＤ用駆動電流」及び「緑色ＬＥＤ用駆動電流」の温度変化による変動を補償するものとなし、上記のようにした「温度補償部」からの駆動電流によって前記「複数のカラーＬＥＤ」を点灯するようになすことは、上記（２）からみて、当業者が周知技術に基づいて容易になし得た程度のことである。
　
（４）本願発明の奏する効果は、引用発明の奏する効果及び周知技術の奏する効果から、当業者が予測することができた程度のものである。
　
（５）したがって、本願発明は、当業者が引用発明及び周知技術に基づいて容易に発明をすることができたものである。
　
５　むすび
　本願発明は、以上のとおり、当業者が引用発明及び周知技術に基づいて容易に発明をすることができたものであるから、特許法第２９条第２項の規定により特許を受けることができない。
　よって、結論のとおり審決する。